(57)【要約】【課題】色再現性の低下を抑制でき、かつ、製造コストを低減できる電気光学装置、および電子機器を提供すること。【解決手段】電気光学装置１は、バックライトユニットと、液晶パネルＡＡと、液晶パネルＡＡおよびバックライトユニットの特性に基づいて、入力される画像信号を補正する補正回路４０と、を備える。補正回路４０は、複数の色変換マトリクス係数およびルックアップテーブルの中からそれぞれ１つ選択した色変換マトリクス係数およびルックアップテーブルを出力するレジスタ４５と、入力される画像信号に逆ガンマ補正を施して出力する逆ガンマ補正部４１と、逆ガンマ補正部４１から出力された画像信号を、色変換マトリクス係数に基づいて変換して出力する色変換マトリクス演算部４２と、色変換マトリクス演算部４２から出力された画像信号を、ルックアップテーブルに基づいて変換して出力するＬＵＴ変換部４３と、を有する。【選択図】図４
2007114341.tif 000002
【特許請求の範囲】
【請求項１】
光源と、入力される画像信号に基づいて前記光源から射出された光を変調する電気光学
パネルと、を備えた電気光学装置において、
前記電気光学パネルおよび前記光源の特性に基づいて、入力される画像信号を補正する
補正回路をさらに備え、
前記補正回路は、複数の色変換マトリクス係数の中から選択した１つの色変換マトリク
ス係数を出力するとともに、複数のルックアップテーブルの中から選択した１つのルック
アップテーブルを出力するレジスタと、
入力される画像信号を線形な画像信号にする逆ガンマ補正を施して出力するガンマ補正
部と、
前記逆ガンマ補正部から出力された線形な画像信号を、前記色変換マトリクス係数に基
づいて変換して出力する色変換マトリクス演算部と、
前記色変換マトリクス演算部から出力された画像信号を、前記ルックアップテーブルに
基づいて変換して出力するルックアップテーブル変換部と、を有することを特徴とする電
気光学装置。
【請求項２】
前記補正回路は、前記レジスタからのコマンドに基づいて、前記ルックアップテーブル
変換部から出力された画像信号に減色処理を行う減色処理部をさらに備えることを特徴と
する請求項１に記載の電気光学装置。
【請求項３】
前記光源は、白色点によって複数のランクに選別されて当該ランクに応じて用いられ、
前記レジスタは、前記ランクに応じて前記色変換マトリクスおよび前記ルックアップテ
ーブルを選択することを特徴とする請求項1に記載の電気光学装置。
【請求項４】
前記光源は、異なる特性を有する複数の光源から選択され、
前記レジスタは、前記複数の光源における白色点の領域に基づいて、前記色変換マトリ
クス係数および前記ルックアップテーブルを選択することを特徴とする請求項１乃至３に
記載の電気光学装置。
【請求項５】
請求項１乃至４に記載の電気光学装置を備えることを特徴とする電子機器。
【発明の詳細な説明】
【技術分野】
【０００１】
本発明は、電気光学装置、および電子機器に関する。
【背景技術】
【０００２】
従来より、画像を表示する液晶装置などの電気光学装置が知られている。電気光学装置
は、例えば、光源としてのバックライトユニットと、入力される画像信号に基づいてバッ
クライトユニットから射出された光を変調する電気光学パネルとしての液晶パネルと、を
備えている。この液晶パネルは、複数の画素を有する表示領域と、この表示領域の周辺に
設けられて画素を駆動する走査線駆動回路およびデータ線駆動回路と、を備えている。
【０００３】
液晶パネルは、スイッチング素子としての薄膜トランジスタ（以降、ＴＦＴと呼ぶ）が
画素に対応して配置された素子基板と、この素子基板に対向配置された対向基板と、素子
基板および対向基板の間に挟持された電気光学物質としての液晶と、から構成されている
。
【０００４】
素子基板は、所定間隔おきに設けられた複数の走査線と、これら走査線に略直交しかつ
所定間隔おきに設けられた複数のデータ線と、各走査線と各データ線との交差部に対応し
て設けられたＴＦＴおよび画素電極と、を備えている。
対向基板は、画素電極に対向して設けられた共通電極を備えている。
【０００５】
各画素は、上述のＴＦＴ、画素電極、および共通電極のほか、画素電極に一端が電気的
に接続された蓄積容量で構成されている。
ＴＦＴのゲートには、走査線が接続され、ＴＦＴのソースには、データ線が接続され、
ＴＦＴのドレインには、画素電極および蓄積容量が接続されている。
【０００６】
バックライトユニットは、白色発光ダイオード（以降、白色ＬＥＤと呼ぶ）を備えてお
り、この白色ＬＥＤは、青色ＬＥＤチップおよびＹＡＧ（Yttrium  Aluminum  Garnet）
蛍光体を組み合わせて構成されている。
このバックライトユニットは、青色ＬＥＤチップから射出された青色光と、青色光がＹ
ＡＧ蛍光体に吸収されて変化した黄色光とが混ざり合うことで、白色光を射出する。
【０００７】
以上の電気光学装置は、以下のように動作する。すなわち、走査線駆動回路から選択電
圧を走査線に線順次で供給することで、ある走査線に係る画素を全て選択する。そして、
これら画素の選択に同期して、データ線駆動回路からデータ線に画像信号を供給する。こ
れにより、走査線駆動回路およびデータ線駆動回路で選択された画素に、データ線からＴ
ＦＴを介して画像信号が供給されて、画像データが画素電極に書き込まれる。
【０００８】
画素電極に画像データが書き込まれると、この画素電極と共通電極とに印加された電圧
の電位差により、液晶に駆動電圧が印加される。したがって、各画素で、画像信号の電圧
レベルを変化させることで、液晶の配向や秩序を変化させる。これにより、各画素では、
バックライトユニットから射出された白色光を光変調して、階調表示を行う。
【０００９】
ところで、液晶パネルの特性は、使用される液晶などの構造によって異なるうえに、ま
た同一の構造であっても製造誤差により１個ごとに異なる場合がある。使用される液晶に
は、ＴＮ（Twisted  Nematic）液晶、ＳＴＮ（Super  Twisted  Nematic）液晶、ＶＡ（V
ertical  Alignment）液晶、ＩＰＳ（In  Plane  Switching）液晶などがある。そのため
、異なる液晶モードや、異なるディスプレイにおいて、表示特性を一定にするためにカラ
ーマネジメント機能を備えて色変換を行う、以下のような電気光学装置が提案されている
。
【００１０】
電気光学装置は、液晶パネルの特性に基づいて、入力される画像信号を補正する補正回
路を備えており、この補正回路には、液晶パネルの特性に基づいて色変換テーブルを生成
する手段と、色変換テーブルに基づいて入力される画像信号を補正する手段と、が設けら
れている（例えば、特許文献１参照）。
以上の電気光学装置によれば、液晶パネルの特性が異なっても、この液晶パネルの特性
に基づいて、入力される画像信号を補正して、表示特性を一定にすることができる。
【特許文献１】特開平９−２７１０３６号公報
【発明の開示】
【発明が解決しようとする課題】
【００１１】
しかしながら、バックライトユニットを構成する白色ＬＥＤの特性は、その製造特性上
から大きくばらつくことが知られている。すなわち、白色ＬＥＤを構成する青色ＬＥＤチ
ップでは、製造誤差により、青色光の発光波長がばらつき、また、ＹＡＧ蛍光体では、製
造誤差により、蛍光体材料の濃度分布にむらが生じ、黄色光の発光波長がばらつくのであ
る。
従来技術の補正回路は、液晶パネルの特性に基づいて電気光学装置の表示特性を一定に
するが、バックライトユニットの特性に基づいて電気光学装置の表示特性を調整するわけ
ではないので、このような電気光学装置では、表示特性がばらついて、色再現領域が大き
く減少する場合がある。
【００１２】
図７は、従来例に係る補正回路を備えた電気光学装置の表示特性を示す図である。
領域１２１は、電気光学装置の色再現性が高い領域、つまり色を正確に再現できる領域
を示し、領域１３０は、この電気光学装置の高い色再現性が要求される領域、つまりター
ゲット領域を示す。
この電気光学装置は、補正回路で入力される画像信号を補正することにより、領域１２
１の内部において色再現性が高くなっているが、領域１２１の外部においては、色再現性
が低くなっている。したがって、図７に示すように、領域１２１と領域１３０とは一致せ
ず、この電気光学装置が正確に色を再現できる領域は、これら領域１２１と領域１３０と
の共通部分となる。
【００１３】
図８は、従来例に係る補正回路を備えた複数の電気光学装置の表示特性を示す図である
。
領域１２６，１２７，１２８は、図７で示した複数の電気光学装置において、バックラ
イトユニットの特性がそれぞれ異なる場合の、色再現性が高い領域を示す。
これらの電気光学装置は、それぞれ、補正回路で補正を行うものの、色再現性が高い領
域は、領域１２６〜１２８の内部のみとなる。
結果的に、これらの電気光学装置が製品として共通に保証できる色領域は、領域１３０
の領域内でかつ領域１２６〜１２８の共通領域である領域１４０に限定され、色再現領域
が大きく減少してしまう。
この問題を解決するため、以下の２つの方法が提案されている。
【００１４】
第１の方法として、液晶パネルとバックライトユニットとを組み合わせた状態で、これ
らを備えた電気光学装置の表示特性のばらつきの評価を行い、補正回路を微調整する方法
がある。この方法によれば、液晶パネルとバックライトユニットとの組合せに応じて、補
正回路を微調整するので、これらを備えた電気光学装置の表示特性がばらつくのを抑えて
、色再現性の低下を抑制できる。しかしながら、この方法では、液晶パネルとバックライ
トユニットとの組合せに応じて、表示特性のばらつきの評価および補正回路の微調整が必
要なため、製造工程が複雑になり、製造コストが上昇する。
【００１５】
第２の方法として、複数の白色ＬＥＤの中から特性のばらつきが小さいものを選択して
、バックライトユニットに用いる方法がある。この方法によれば、バックライトユニット
の特性のばらつきが小さくなるので、電気光学装置の表示特性がばらつくのを抑えて、色
再現性の低下を抑制できる。しかしながら、この方法では、複数の白色ＬＥＤの中から選
択した特定の白色ＬＥＤのみをバックライトユニットに用いるので、残りの白色ＬＥＤを
処分することになり、結果的に製造コストの上昇を招く。
【００１６】
本発明は、色再現性の低下を抑制でき、かつ、製造コストを低減できる電気光学装置、
および電子機器を提供することを目的とする。
【課題を解決するための手段】
【００１７】
本発明の電気光学装置は、光源と、入力される画像信号に基づいて前記光源から射出さ
れた光を変調する電気光学パネルと、を備えた電気光学装置において、前記電気光学パネ
ルおよび前記光源の特性に基づいて、入力される画像信号を補正する補正回路をさらに備
え、前記補正回路は、複数の色変換マトリクス係数の中から選択した１つの色変換マトリ
クス係数を出力するとともに、複数のルックアップテーブルの中から選択した１つのルッ
クアップテーブルを出力するレジスタと、入力される画像信号を線形な画像信号にする逆
ガンマ補正を施して出力するガンマ補正部と、前記逆ガンマ補正部から出力された線形な
画像信号を、前記色変換マトリクス係数に基づいて変換して出力する色変換マトリクス演
算部と、前記色変換マトリクス演算部から出力された画像信号を、前記ルックアップテー
ブルに基づいて変換して出力するルックアップテーブル変換部と、を有することを特徴と
する。
【００１８】
この発明によれば、電気光学パネルおよび光源の特性に基づいて、入力される画像信号
を補正する補正回路を設けた。このため、この補正回路を備えた電気光学装置では、表示
特性のばらつきを抑えて、色再現性の低下を抑制できる。
また、光源の白色点のばらつく領域が広くても実用に耐えるので、光源に高いスペック
を求める必要がないうえに、電気光学パネルと光源との組合せに応じて、これらを備えた
電気光学装置の表示特性のばらつきの評価および補正回路の微調整を行う必要がないから
、製造コストを削減できる。
【００１９】
本発明の電気光学装置では、前記補正回路は、前記レジスタからのコマンドに基づいて
、前記ルックアップテーブル変換部から出力された画像信号に減色処理を行う減色処理部
をさらに備えることが好ましい。
【００２０】
この発明によれば、ルックアップテーブル変換部から出力された画像信号を、レジスタ
からのコマンドに基づいて減色処理を行う減色処理部を補正回路に設けた。このため、減
色処理を行うことで、画像信号のデータ量を削減して、画像信号が供給される回路の規模
を抑制できる。
【００２１】
本発明の電気光学装置では、前記光源は、白色点によって複数のランクに選別されて当
該ランクに応じて用いられ、前記レジスタは、前記ランクに応じて前記色変換マトリクス
および前記ルックアップテーブルを選択することが好ましい。
【００２２】
この発明によれば、白色点に応じて光源を複数のランクに選別し、このランクに応じて
用いる。そして、このランクに応じて、色変換マトリクスおよびルックアップテーブルを
レジスタで選択する。このため、光源に応じて、色変換マトリクスおよびルックアップテ
ーブルをレジスタで選択する場合と比べて、レジスタの回路規模を縮小できる。
【００２３】
本発明の電気光学装置では、前記光源は、異なる特性を有する複数の光源から選択され
、前記レジスタは、前記複数の光源における白色点の領域に基づいて前記色変換マトリク
ス係数と前記ルックアップテーブルを選択して供給することが好ましい。
【００２４】
この発明によれば、光源を、異なる特性を有する複数の光源から選択し、レジスタから
複数の光源における白色点の領域に基づいて色変換マトリクス係数とルックアップテーブ
ルを選択して供給する。このため、上述した効果と同様の効果がある。
【００２５】
本発明の電子機器は、上述の電気光学装置を備えたことを特徴とする。
この発明によれば、上述した効果と同様の効果がある。
【発明を実施するための最良の形態】
【００２６】
以下、本発明の実施形態を図面に基づいて説明する。なお、以下の実施形態および変形
例の説明にあたって、同一構成要件については同一符号を付し、その説明を省略もしくは
簡略化する。
＜実施形態＞
図１は、本発明の一実施形態に係る電気光学装置１のブロック図である。
電気光学装置１は、光源としてのバックライトユニット８０（図３参照）と、入力され
る画像信号に基づいてバックライトユニット８０から射出された光を変調する電気光学パ
ネルとしての液晶パネルＡＡと、からなる。この液晶パネルＡＡは、複数の画素５０を有
する表示領域Ａと、この表示領域Ａの周辺に設けられて画素５０を駆動する走査線駆動回
路１１およびデータ線駆動回路２１と、を備えている。
【００２７】
液晶パネルＡＡは、所定間隔おきに交互に設けられた複数の走査線１０および共通線（
容量線）３０と、これら走査線１０に交差し所定間隔おきに設けられた複数のデータ線２
０とを備え、画素５０は、各走査線１０と各データ線２０との交差部に設けられている。
【００２８】
画素５０は、画素トランジスタ５１、画素電極５５、この画素電極５５に対向する共通
電極５６、および、一端が画素電極５５に電気的に接続され他端が共通線３０に電気的に
接続された蓄積容量５３で構成されている。
【００２９】
画素トランジスタ５１のゲート電極には、走査線１０が接続され、画素トランジスタ５
１のソース電極には、データ線２０が接続され、画素トランジスタ５１のドレイン電極に
は、画素電極５５および蓄積容量５３が接続されている。画素電極５５と共通電極５６と
の間には、液晶が挟持されている。したがって、この画素トランジスタ５１は、走査線１
０から選択電圧が印加されると、データ線２０と画素電極５５および蓄積容量５３とを導
通状態とする。
【００３０】
共通電極５６は、液晶パネルＡＡの四隅に設けられた導通部３１およびこれら導通部３
１同士を接続する共通配線３２を介して、共通線３０と接続されている。
【００３１】
走査線駆動回路１１は、画素トランジスタ５１をオン状態にする選択電圧を各走査線１
０に線順次で供給する。例えば、ある走査線１０に選択電圧が供給されると、この走査線
１０に接続された画素トランジスタ５１が全て導通状態になり、この走査線１０に係る画
素５０が全て選択される。
【００３２】
データ線駆動回路２１は、画像信号を各データ線２０に供給して、オン状態の画素トラ
ンジスタ５１を介して、画素５０の画素電極５５に画像データを順次書き込む。ここで、
データ線駆動回路２１は、共通電極５６の電圧を基準電圧として、この共通電極５６の電
圧よりも高い電圧でデータ線２０に画像信号を供給する正極性書込と、共通電極５６の電
圧よりも低い電圧でデータ線２０に画像信号を供給する負極性書込とを交互に行う。
【００３３】
バックライトユニット８０（図３参照）は、白色ＬＥＤを備えており、この白色ＬＥＤ
は、青色ＬＥＤチップおよびＹＡＧ（Yttrium  Aluminum  Garnet）蛍光体を組み合わせ
て構成されている。
【００３４】
以上の電気光学装置１は、以下のように動作する。
すなわち、走査線駆動回路１１から選択電圧を線順次で供給することで、ある走査線１
０に係る画素５０を全て選択する。そして、これら画素５０の選択に同期して、データ線
駆動回路２１からデータ線２０に画像信号を供給する。これにより、走査線駆動回路１１
で選択した全ての画素５０に画像信号が供給されて、画像データが画素電極５５に書き込
まれる。
ここで、この電気光学装置１では、データ線駆動回路２１により、上述の正極性書込と
負極性書込とが交互に行われる。
【００３５】
画素５０の画素電極５５に画像データが書き込まれると、この画素電極５５と共通電極
５６との電位差により、液晶に駆動電圧が印加される。したがって、画像信号の電圧レベ
ルを変化させることで、液晶の配向や秩序を変化させて、各画素５０の光変調による階調
表示を行う。
なお、液晶に印加される駆動電圧は、蓄積容量５３により、画像データが書き込まれる
期間よりも３桁も長い期間に亘って保持される。
【００３６】
図２は、電気光学装置１の構成を示す斜視図であり、図３は、図２におけるＺ−Ｚ’断
面図である。
電気光学装置１は、画素電極５５等が形成された素子基板６０と、この素子基板６０に
対向配置されかつ共通電極５６等が形成された対向基板７０と、素子基板６０および対向
基板７０間に設けられた液晶と、素子基板６０の下側（対向基板７０とは反対側）に設け
られて液晶に光を照射するバックライトユニット８０と、を備えている。
【００３７】
素子基板６０には、表示領域Ａの全面に亘って、ＩＴＯ（Indium  Tin  Oxide）やＩＺ
Ｏ（Indium  Zinc  Oxide）などの透明導電膜からなる画素電極５５が形成されている。
また、素子基板６０には、シール部材７１の一辺の外側に、Ｘ方向に延在するデータ線
駆動回路２１が形成されている。さらに、この一辺には複数の接続電極２１１が形成され
て、この接続電極２１１を通して各種信号が入力される。シール部材７１の前記一辺の両
側の辺には、Ｙ方向に延在する走査線駆動回路１１が形成されている。
【００３８】
対向基板７０には、赤（Ｒ）のカラーフィルタの着色層７４Ｒ、緑（Ｇ）のカラーフィ
ルタの着色層７４Ｇ、および青（Ｂ）のカラーフィルタの着色層７４Ｂが所定の厚みで形
成されている。これらカラーフィルタの着色層７４Ｒ、７４Ｇ、７４Ｂ同士の隙間や表示
領域Ａの周囲には、ブラックマトリクスを成す遮光膜７５が形成されている。これらカラ
ーフィルタの着色層７４Ｒ、７４Ｇ、７４Ｂおよび遮光膜７５上には、画素電極５５に対
向するＩＴＯ（Indium  Tin  Oxide）やＩＺＯ（Indium  Zinc  Oxide）などの透明導電
膜からなる共通電極５６が形成されている。共通電極５６上には、配向膜（図示省略）が
形成されている。
【００３９】
対向基板７０の外周部には、素子基板６０および対向基板７０の間隙を封止するシール
部材７１が設けられている。このシール部材７１は、素子基板６０および対向基板７０と
ともに、液晶が封入される空間を形成している。シール部材７１には、素子基板６０およ
び対向基板７０の間隔を保持するため、スペーサ７２が混入されている。なお、シール部
材７１には、液晶を封入するための開口部が形成されており、この開口部は、液晶の封入
後に封止材７３で封止されている。
【００４０】
図４は、データ線駆動回路２１の構成を示すブロック図である。
データ線駆動回路２１は、補正回路４０と、Ｄ／Ａ変換部２２と、を備えている。
補正回路４０は、液晶パネルＡＡの特性およびバックライトユニット８０の特性に基づ
いて、入力される画像信号を補正する。この補正回路４０は、逆ガンマ補正部４１と、色
変換マトリクス演算部４２と、ＬＵＴ変換部４３と、減色処理部４４と、レジスタ４５と
、で構成されている。
なお、補正回路は、データ線駆動回路内に設ける必要はなく、外部のコントローラに設
けてもよい。
【００４１】
レジスタ４５は、液晶パネルＡＡの特性およびバックライトユニット８０の特性に基づ
いて、複数の３行３列の色変換マトリクス係数の中から選択した１つの３行３列の色変換
マトリクス係数を、色変換マトリクス演算部４２に供給する。また、レジスタ４５は、液
晶パネルＡＡの特性およびバックライトユニット８０の特性に基づいて、複数のＬＵＴ（
Lock  Up  Table）の中から選択した１つのＬＵＴを、ＬＵＴ変換部４３に供給する。さ
らに、レジスタ４５は、減算処理をするか否かのコマンドを減色処理部４４に供給する。
【００４２】
逆ガンマ補正部４１には、赤（Ｒ）、緑（Ｇ）、青（Ｂ）の画像信号が入力される。こ
の入力される画像信号は、線形な画像信号にガンマ補正が施されたものである。
この逆ガンマ補正部４１は、入力された画像信号に、この入力された画像信号を線形な
画像信号に戻す逆ガンマ補正を行って、色変換マトリクス演算部４２に出力する。
具体的には、逆ガンマ補正部４１は、以下の式にしたがって、入力された赤（Ｒ）、緑
（Ｇ）、青（Ｂ）の画像信号Ｒ１、Ｇ１、Ｂ１を、入力された画像信号の特性であるガン
マ値γ１を用いて、線形な赤（Ｒ）、緑（Ｇ）、青（Ｂ）の画像信号Ｒ２、Ｇ２、Ｂ２に
逆ガンマ補正する。
【００４３】
【数１】
2007114341.tif 000003
【００４４】
色変換マトリクス演算部４２は、線形な画像信号を、液晶パネルＡＡの特性およびバッ
クライトユニット８０の特性に基づいて変換して、ＬＵＴ変換部４３に出力する。
具体的には、色変換マトリクス演算部４２は、以下の式にしたがって、線形な赤（Ｒ）
、緑（Ｇ）、青（Ｂ）の画像信号Ｒ２、Ｇ２、Ｂ２を、レジスタ４５から供給される３行
３列の色変換マトリクス係数Ｍを用いて、色変換された赤（Ｒ）、緑（Ｇ）、青（Ｂ）の
画像信号Ｒ３、Ｇ３、Ｂ３に変換する。
【００４５】
【数２】
2007114341.tif 000004
【００４６】
ＬＵＴ変換部４３は、液晶パネルＡＡの特性およびバックライトユニット８０の特性に
基づいて色変換マトリクス演算部４２で変換された画像信号を、液晶パネルＡＡの特性お
よびバックライトユニット８０の特性に基づいてさらに変換した後、液晶パネルＡＡの特
性に基づいてガンマ補正を行って、減色処理部４４に出力する。
具体的には、ＬＵＴ変換部４３は、まず、色変換された赤（Ｒ）、緑（Ｇ）、青（Ｂ）
の画像信号Ｒ３、Ｇ３、Ｂ３を、レジスタ４５から供給されるＬＵＴを用いて、ＬＵＴ変
換された赤（Ｒ）、緑（Ｇ）、青（Ｂ）の画像信号Ｒ４、Ｇ４、Ｂ４に変換する。
次に、ＬＵＴ変換された赤（Ｒ）、緑（Ｇ）、青（Ｂ）の画像信号Ｒ４、Ｇ４、Ｂ４を
、以下の式にしたがって、液晶パネルＡＡの特性であるガンマ値γ２を用いて、赤（Ｒ）
、緑（Ｇ）、青（Ｂ）の画像信号Ｒ５、Ｇ５、Ｂ５にガンマ補正する。
【００４７】
【数３】
2007114341.tif 000005
【００４８】
減色処理部４４は、ガンマ補正された画像信号を、上述の減色処理をするか否かのコマ
ンドに基づいてディザ法により減色して、Ｄ／Ａ変換部２２に出力する。
本実施形態では、補正回路４０に入力される赤（Ｒ）、緑（Ｇ）、青（Ｂ）の画像信号
Ｒ１、Ｇ１、Ｂ１は、各８ビットの合計２４ビットの画像信号であり、Ｄ／Ａ変換部２２
に入力できる赤（Ｒ）、緑（Ｇ）、青（Ｂ）画像信号Ｒ６、Ｇ６、Ｂ６は、各６ビットの
合計１８ビットの画像信号である。つまり、減色処理部４４は、画像信号を減色処理する
ためのコマンドがレジスタ４５から供給され、このコマンドに基づいて、ガンマ補正され
た赤（Ｒ）、緑（Ｇ）、青（Ｂ）の画像信号Ｒ５、Ｇ５、Ｂ５を、それぞれ２ビットずつ
階調レベルを削減して、減色処理された赤（Ｒ）、緑（Ｇ）、青（Ｂ）の画像信号Ｒ６、
Ｇ６、Ｂ６に変換する。
【００４９】
Ｄ／Ａ変換部２２は、補正回路４０から出力された画像信号をデジタル信号からアナロ
グ信号に変換して、液晶パネルＡＡに出力する。
具体的には、減色処理された赤（Ｒ）、緑（Ｇ）、青（Ｂ）の画像信号Ｒ６、Ｇ６、Ｂ
６をデジタル信号からアナログ信号に変換する。
【００５０】
以上のように、補正回路４０では、入力された赤（Ｒ）、緑（Ｇ）、青（Ｂ）の画像信
号Ｒ１、Ｇ１、Ｂ１を、液晶パネルＡＡの特性およびバックライトユニット８０の特性に
基づいて補正した後、減色処理を行って、Ｄ／Ａ変換部２２を介して、赤（Ｒ）、緑（Ｇ
）、青（Ｂ）の画像信号Ｒ６、Ｇ６、Ｂ６を液晶パネルＡＡに出力する。
【００５１】
図５は、バックライトユニット８０の白色点および表示画像の白色点を示すｘｙ色度図
である。
バックライトユニット８０を構成する白色ＬＥＤは、白色点によって選別される。本実
施形態では、図５（１）に示すように、バックライトユニット８０には、白色点が領域９
０に含まれる白色ＬＥＤが用いられる。
バックライトユニット８０を構成する白色ＬＥＤは、領域９０を４分割した領域９１，
９２，９３，９４のいずれかに属しており、それぞれ、ランクａ，ｂ，ｃ，ｄと呼ぶ。
【００５２】
したがって、ランクａの白色ＬＥＤを用いる場合、白色点が領域９１に属する白色ＬＥ
Ｄを用いてバックライトユニット８０を構成する。
同様に、ランクｂ〜ｄの白色ＬＥＤを用いる場合、白色点が領域９２〜９４に属する白
色ＬＥＤを用いてバックライトユニット８０を構成する。
以上より、同じ液晶パネルＡＡであっても、バックライトユニット８０の特性が違うた
め、これらを備えた電気光学装置では、表示特性がばらついて、表示色が異なることにな
る。
【００５３】
まず、ランクａの白色ＬＥＤを用いてバックライトユニット８０を構成した場合につい
て、図５（２）を用いて説明する。
領域９１の中心点９２１を、ランクａに属する白色ＬＥＤの代表値とし、この代表値を
Ｔｙｐｅ条件とする。補正回路４０のレジスタ４５では、Ｔｙｐｅ条件に基づいて、補正
係数を決定する。具体的には、４つのランクａ〜ｄの中心に向かって白色点がわずかに移
動するように、補正係数を決定する。
ランクａに属する白色ＬＥＤについては、この補正係数を一律に用いるため、個別に測
色を行わない。
【００５４】
次に、ランクｂ〜ｄの白色ＬＥＤを用いてバックライトユニット８０を構成した場合に
ついて、図５（３）を用いて説明する。
この場合も、ランクａの場合と同様であるが、４つのランクａ〜ｄの中心に向かって白
色点がわずかに移動するように補正係数を決定するため、補正係数はそれぞれ異なる。
その結果、図５（４）に示すように、４つのランクａ〜ｄを用いたバックライトユニッ
ト８０による電気光学装置１の表示画像の白色点は、バックライトユニット８０に用いら
れる白色ＬＥＤの白色点を含む領域９０よりも狭い領域９０Ａの領域内に収まる。
【００５５】
本実施形態では、バックライトユニット８０を構成する白色ＬＥＤを細かいランクａ〜
ｄに選別したため、補正回路４０で大きな補正を行っておらず、従来技術のように色再現
性が大きく減少することはない。
【００５６】
なお、白色点のばらつきを例として説明したが、全体の色のばらつきについても同様に
、色再現性の低下を抑制でき、かつ、製造コストを低減できる。
【００５７】
補正回路４０のレジスタ４５では、上述のように補正係数を決定するとともに、液晶パ
ネルＡＡの特性と、バックライトユニット８０の特性を示す上述の補正係数と、に基づい
て、複数の３行３列の色変換マトリクス係数およびＬＵＴの中からそれぞれ１つを選択し
て、色変換マトリクス演算部４２およびＬＵＴ変換部４３に供給する。
色変換マトリクス演算部４２およびＬＵＴ変換部４３は、上述の色変換マトリクス係数
およびＬＵＴに基づいて画像信号を補正して、液晶パネルおよびバックライトユニット８
０の特性に基づいて電気光学装置１のカラーバランス、色相、彩度、白色点、ガンマ特性
といった表示特性を一定にする。
【００５８】
本実施形態によれば、以下のような効果がある。
（１）補正回路４０で、液晶パネルＡＡおよびバックライトユニット８０の特性に基づ
いて、入力される画像信号を補正した。このため、この補正回路４０を備えた電気光学装
置１では、カラーバランス、色相、彩度、白色点、ガンマ特性といった表示特性のばらつ
きを抑えて、色再現性の低下を抑制できる。
【００５９】
（２）バックライトユニット８０の表示特性のばらつく領域９０が広くても実用に耐え
るので、バックライトユニット８０に高いスペックを求める必要がないうえに、液晶パネ
ルＡＡとバックライトユニット８０との組合せに応じて、表示画像の白色点のばらつきの
評価および補正回路４０の微調整を行う必要がないから、製造コストを削減できる。
【００６０】
（３）ＬＵＴ変換部４３から出力された画像信号を、レジスタ４５からのコマンドに基
づいて、減色処理を行う減色処理部４４を補正回路４０に設けた。このため、減色処理を
行うことで、画像信号のデータ量を削減して、画像信号が供給される回路の規模を抑制で
きる。
【００６１】
（４）白色点に応じて、バックライトユニット８０をランクａ，ｂ，ｃ，ｄに選別し、
このランクに応じて用いた。そして、このランクに応じて、色変換マトリクス係数および
ＬＵＴをレジスタ４５で選択した。このため、バックライトユニット８０に応じて、色変
換マトリクス係数およびＬＵＴをレジスタ４５で選択する場合と比べて、レジスタ４５の
回路規模を縮小できる。
【００６２】
＜変形例＞
なお、本発明は前記実施形態に限定されるものではなく、本発明の目的を達成できる領
域での変形、改良等は本発明に含まれるものである。例えば、前記実施形態では、補正回
路４０を、素子基板６０に形成されたデータ線駆動回路２１に設けたが、これに限らず、
例えば、素子基板６０の外部に設けてもよい。
【００６３】
また、前記実施形態では、バックライトユニット８０は、白色ＬＥＤを備えたが、これ
に限らず、例えば、冷陰極管を備えてもよい。
【００６４】
また、前記実施形態では、白色ＬＥＤは、青色ＬＥＤチップおよびＹＡＧ蛍光体を組み
合わせて構成したが、これに限らず、例えば、青色ＬＥＤチップおよびＴＡＧ（Terbium
Aluminum  Garnet）蛍光体を組み合わせて構成したり、あるいは、赤色ＬＥＤチップ、
緑色ＬＥＤチップ、および青色ＬＥＤチップを組み合わせて構成してもよい。
【００６５】
また、前記実施形態では、液晶パネルＡＡの特性およびバックライトユニット８０の特
性に基づいて、色変換マトリクス演算部４２およびＬＵＴ変換部４３で入力される画像信
号を補正したが、これに限らず、例えば、液晶パネルＡＡの特性およびバックライトユニ
ット８０の特性に基づく３次元のＬＵＴを用いて入力される画像信号を補正してもよい。
【００６６】
また、前記実施形態では、対向基板７０に、赤（Ｒ）のカラーフィルタの着色層７４Ｒ
、緑（Ｇ）のカラーフィルタの着色層７４Ｇ、および青（Ｂ）のカラーフィルタの着色層
７４Ｂを形成したが、これに限らず、例えば、シアン（Ｃ）のカラーフィルタの着色層を
さらに形成してもよい。
【００６７】
また、前記実施形態では、本発明を電気光学物質として液晶を用いたが、これに限らず
、液晶以外の電気光学物質を用いた電気光学装置にも適用できる。例えば、着色された液
体とこの液体に分散された白色の粒子とを含むマイクロカプセルを電気光学物質として用
いた電気泳動表示パネル、極性が相違する領域ごとに異なる色に塗り分けられたツイスト
ボールを電気光学物質として用いたツイストボールディスプレイパネル、黒色トナーを電
気光学物質として用いたトナーディスプレイパネル、あるいは、ヘリウムやネオン等の高
圧ガスを電気光学物質として用いたプラズマディスプレイパネルなど各種の電気光学装置
に対しても、上記実施形態と同様に本発明が適用され得る。
【００６８】
＜応用例＞
次に、上述した実施形態に係る電気光学装置１を適用した電子機器について説明する。
図６は、電気光学装置１を適用した携帯電話機の構成を示す斜視図である。携帯電話機
３０００は、複数の操作ボタン３００１およびスクロールボタン３００２、ならびに電気
光学装置１を備える。スクロールボタン３００２を操作することによって、電気光学装置
１に表示される画面がスクロールされる。
【００６９】
なお、電気光学装置１が適用される電子機器としては、図６に示すもののほか、パーソ
ナルコンピュータ、情報携帯端末、デジタルスチルカメラ、液晶テレビ、ビューファイン
ダ型、モニタ直視型のビデオテープレコーダ、カーナビゲーション装置、ページャ、電子
手帳、電卓、ワードプロセッサ、ワークステーション、テレビ電話、ＰＯＳ端末、タッチ
パネルを備えた機器などが挙げられる。そして、これらの各種電子機器の表示部として、
前述した電気光学装置が適用可能である。
【図面の簡単な説明】
【００７０】
【図１】本発明の一実施形態に係る電気光学装置の構成を示すブロック図である。
【図２】前記実施形態に係る電気光学装置の構成を示す斜視図である。
【図３】図２におけるＺ−Ｚ´断面図である。
【図４】前記実施形態に係る補正回路の構成を示すブロック図である。
【図５】前記実施形態に係るバックライトユニットの白色点および表示画像の白色点を示すｘｙ色度図である。
【図６】上述の電気光学装置を適用した携帯電話機の構成を示す斜視図である。
【図７】従来例に係る補正回路を備えた電気光学装置の色特性を示す図である。
【図８】従来例に係る補正回路を備えた複数の電気光学装置の色特性を示す図である。
【符号の説明】
【００７１】
ＡＡ…電気光学パネル、１…電気光学装置、２１…データ線駆動回路、２２…Ｄ／Ａ変
換部、４０…補正回路、４１…逆ガンマ補正部、４２…色変換マトリクス演算部、４３…
ＬＵＴ変換部、４４…減色処理部、４５…レジスタ、８０…バックライトユニット（光源
）、３０００…携帯電話機（電子機器）。
【図１】
2007114341.tif 000006
【図２】
2007114341.tif 000007
【図３】
2007114341.tif 000008
【図４】
2007114341.tif 000009
【図５】
2007114341.tif 000010
【図６】
2007114341.tif 000011
【図７】
2007114341.tif 000012
【図８】
2007114341.tif 000013